(57)【要約】【課題】２つのランプユニットの各光軸調整を個別に行うことができる車両用ヘッドランプのエーミング機構を提供すること。【解決手段】ハウジング２とその開口部を覆うアウタレンズによって画成された灯室内に、ロービーム用ランプユニット３とハイビーム用ランプユニット４を並設して成る車両用ヘッドランプ１のエーミング機構として、前記ハウジング２に対して可動なブラケット５を前記灯室内に設け、前記ハイビーム用ランプユニット４を前記ブラケット５に固定し、ロービーム用ランプユニット３を前記ブラケット５に対して上下に傾動可能に支持するとともに、前記ブラケット５に挿通して前記ロービーム用ランプユニット３に螺合するアジャストボルト１８を回すことによって該ロービーム用ランプユニット３の光軸を上下に調整可能とする。【選択図】図２
2016207430.tif 000002
【特許請求の範囲】
【請求項１】
ハウジングとその開口部を覆うアウタレンズによって画成された灯室内に、２つのランプユニットを並設して成る車両用ヘッドランプのエーミング機構であって、
前記ハウジングに対して可動なブラケットを前記灯室内に設け、前記ランプユニットの一方を前記ブラケットに固定し、他方を前記ブラケットに対して上下に傾動可能に支持するとともに、前記ブラケットに挿通して前記他方のランプユニットに螺合するアジャストボルトを回すことによって該他方のランプユニットの光軸を上下に調整可能としたことを特徴とする車両用ヘッドランプのエーミング機構。
【請求項２】
２つの前記ランプユニットを保持する前記ブラケットを前記ハウジングに対して上下又は／及び左右に傾動可能に支持するとともに、前記ハウジングに挿通して前記ブラケットに螺合するアジャストボルトを回すことによって２つの前記ランプユニットの光軸を上下方向又は／及び左右方向に同時に調整可能としたことを特徴とする請求項１記載の車両用ヘッドランプのエーミング機構。
【請求項３】
ハウジングとその開口部を覆うアウタレンズによって画成された灯室内に、２つのランプユニットを並設して成る車両用ヘッドランプのエーミング方法であって、
ブラケットに２つの前記ランプユニットの一方を固定し、他方を前記ブラケットに上下に傾動可能に支持するとともに、前記ブラケットに挿通するアジャストボルトを該他方のランプユニットに螺合してランプ組立体を組み立て、該ランプ組立体において前記アジャストボルトを回して前記他方のランプユニットの光軸を上下方向に調整した後、
前記ランプ組立体を前記ハウジングに上下又は／及び左右に傾動可能に支持して組み付け、前記ハウジングに挿通するアジャストボルトを前記ランプ組立体に螺合させ、該アジャストボルトを回して前記ランプ組立体を前記ハウジングに対して上下又は／及び左右に傾動させることによって２つの前記ランプユニットの光軸を上下方向又は／及び左右方向に同時に調整することを特徴とする車両用ヘッドランプのエーミング方法。
【発明の詳細な説明】
【技術分野】
【０００１】
本発明は、灯室内に２つのランプユニットを並設して成る車両用ヘッドランプのエーミング機構及びエーミング方法に関するものである。
【背景技術】
【０００２】
車両の前部左右に配置されるヘッドランプにはエーミング機構が設けられており、このエーミング機構によって光軸調整がなされている。このエーミング機構は、ランプユニットをピボットによってハウジングに対して傾動可能に支持し、ハウジングに挿通するアジャストボルトの先端部をランプユニットに螺合させ、該アジャストボルトを回してランプユニットをピボットを中心として上下又は左右に傾動させることによって、該ランプユニットの光軸を上下又は左右方向に調整するものである（例えば、特許文献１参照）。
【先行技術文献】
【特許文献】
【０００３】
【特許文献１】特開２００４−３１１２２４号公報
【発明の概要】
【発明が解決しようとする課題】
【０００４】
ところで、車両用ヘッドランプには、灯室内にハイビーム用ランプユニットとロービーム用ランプユニットを並設して成るものがあり、この種のヘッドランプにおいては、ハイビームの高さとロービームのカットオフラインの高さを微調整する必要がある。
【０００５】
しかしながら、従来のヘッドランプにおいては、ハイビーム用ランプユニットとロービーム用ランプユニットの各光軸調整をそれぞれ個別に行うことができないため、ハイビームの高さとロービームのカットオフラインの高さを個別に微調整することができず、ランプユニットを配置するブラケットの成型精度や組立精度が悪ければヘッドランプごと不良になるという問題があった。
【０００６】
本発明は上記問題に鑑みてなされたもので、その目的とする処は、２つのランプユニットの各光軸調整を個別に行うことができる車両用ヘッドランプのエーミング機構及びエーミング方法を提供することにある。
【課題を解決するための手段】
【０００７】
上記目的を達成するため、請求項１記載の発明は、ハウジングとその開口部を覆うアウタレンズによって画成された灯室内に、２つのランプユニットを並設して成る車両用ヘッドランプのエーミング機構であって、前記ハウジングに対して可動なブラケットを前記灯室内に設け、前記ランプユニットの一方を前記ブラケットに固定し、他方を前記ブラケットに対して上下に傾動可能に支持するとともに、前記ブラケットに挿通して前記他方のランプユニットに螺合するアジャストボルトを回すことによって該他方のランプユニットの光軸を上下に調整可能としたことを特徴とする。
【０００８】
請求項２記載の発明は、請求項１記載の発明において、２つの前記ランプユニットを保持する前記ブラケットを前記ハウジングに対して上下又は／及び左右に傾動可能に支持するとともに、前記ハウジングに挿通して前記ブラケットに螺合するアジャストボルトを回すことによって２つの前記ランプユニットの光軸を上下方向又は／及び左右方向に同時に調整可能としたことを特徴とする。
【０００９】
請求項３記載の発明は、ハウジングとその開口部を覆うアウタレンズによって画成された灯室内に、２つのランプユニットを並設して成る車両用ヘッドランプのエーミング方法であって、ブラケットに２つの前記ランプユニットの一方を固定し、他方を前記ブラケットに上下に傾動可能に支持するとともに、前記ブラケットに挿通するアジャストボルトを該他方のランプユニットに螺合してランプ組立体を組み立て、該ランプ組立体において前記アジャストボルトを回して前記他方のランプユニットの光軸を上下方向に調整した後、前記ランプ組立体を前記ハウジングに上下又は／及び左右に傾動可能に支持して組み付け、前記ハウジングに挿通するアジャストボルトを前記ランプ組立体に螺合させ、該アジャストボルトを回して前記ランプ組立体を前記ハウジングに対して上下又は／及び左右に傾動させることによって２つの前記ランプユニットの光軸を上下方向又は／及び左右方向に同時に調整することを特徴とする。
【発明の効果】
【００１０】
本発明によれば、例えばハイビーム用ランプユニットとロービーム用ランプユニットを並設して成る車両用ヘッドランプにおいては、組立時に例えばハイビーム用ランプユニットを上下方向に光軸調整した状態（ハイビームが所定の高さとなるよう調整した状態）で該ハイビーム用ランプユニットをブラケットに固定し、ロービーム用ランプユニットをブラケットに上下に傾動可能に支持し、アジャストボルトを回してロービーム用ランプユニットをブラケット（ハイビーム用ランプユニット）に対して上下に傾動させてその光軸を上下方向に調整することができる。このため、ブラケットに支持されたハイビーム用ランプユニットとロービーム用ランプユニット（ランプ組立体）をハウジングに組み付ける前の状態において、ハイビーム用ランプユニットとロービーム用ランプユニットの各光軸を個別に微調整することができる。このため、組立時にハイビームの高さとロービームのカットオフラインの高さを個別に微調整することができる。
【００１１】
そして、ブラケットに支持されたハイビーム用ランプユニットとロービーム用ランプユニット（ランプ組立体）をハウジングに組み付けた後においては、ハウジングに挿通するアジャストボルトを回してランプ組立体をハウジングに対して上下に傾動させることによって、ハイビーム用ランプユニットとロービーム用ランプユニットの光軸を上下方向に同時に調整することができる。
【図面の簡単な説明】
【００１２】
【図１】本発明に係る車両用ヘッドランプのランプ組立体の斜視図である。
【図２】本発明に係る車両用ヘッドランプのロービーム用ランプユニットの組立図である。
【図３】本発明に係る車両用ヘッドランプのハイビーム用ランプユニットの組立図である。
【図４】（ａ）〜（ｃ）は本発明に係る車両用ヘッドランプのスクリーンへのビームの投影図であり、（ａ）はハイビーム用ランプユニット点灯時、（ｂ）はロービーム用ランプユニット点灯時、（ｃ）は光軸調整後のロービーム用ランプユニット点灯時の状態をそれぞれ示す図である。
【図５】本発明に係る車両用ヘッドランプの正面図である。
【図６】図５のＡ−Ａ線断面図である。
【図７】図５のＢ−Ｂ線断面図である。
【発明を実施するための形態】
【００１３】
以下に本発明の実施の形態を添付図面に基づいて説明する。
【００１４】
図１は本発明に係る車両用ヘッドランプのランプ組立体の斜視図、図２は同車両用ヘッドランプのロービーム用ランプユニットの組立図、図３は同車両用ヘッドランプのハイビーム用ランプユニットの組立図、図４（ａ）〜（ｃ）は本発明に係る車両用ヘッドランプのスクリーンへのビームの投影図、図５は本発明に係る車両用ヘッドランプの正面図、図６は図５のＡ−Ａ線断面図、図７は図５のＢ−Ｂ線断面図である。
【００１５】
図５に示す車両用ヘッドランプ１は、車両の前部左側に配置されるものであって、ハウジング２とその前面開口部を覆う透明な不図示のアウタレンズによって画成された灯室内に、ロービーム用（すれ違い用）ランプユニット３とハイビーム用（走行ビーム用）ランプユニット４を左右に並設して構成されている、尚、車両の前部右側に配置されるヘッドランプの基本構成は、左側のヘッドランプ１と同じであるため、これについての図示及び説明は省略する。
【００１６】
上記ロービーム用ランプユニット３とハイビーム用ランプユニット４は、図１に示すように、ブラケット５（図２参照）に組み付けられることによってランプ組立体６として一体化され、このランプ組立体６が図１に示すようにハウジング２に組み付けられることによって製品としてのヘッドランプ１が構成される。
【００１７】
ここで、図１〜図３に示すように、ロービーム用ランプユニット３は、左右２つのプロジェクタ型ランプ３Ａによって構成されており、ハイビーム用ランプユニット４は、左右２つの反射型ランプ４Ａによって構成されている。尚、ハイビーム用ランプユニット４を構成する左右２つの反射型ランプ４Ａは、光源である不図示のＬＥＤ（発光ダイオード）と、各ＬＥＤから上方に向かって出射する光を車両前方へと反射させるリフレクタ４ａと、ＬＥＤが発生する熱を放熱させるヒートシンク４ｂを備えている。
【００１８】
ところで、図２に示すように、ブラケット５のロービーム用ランプユニット３が組み付けられる左側部分の下部左右の２箇所にはネジ孔７がそれぞれ形成されており、上部の１箇所にもネジ孔８が形成されている。又、ブラケット５のハイビーム用ランプユニット４が固定される右端部の上下３箇所にはネジ孔９が形成されており、上下２箇所には位置決めピン１０が前方に向かって突設されている。
【００１９】
又、図２に示すように、ロービーム用ランプユニット３のハウジング３ａの下部左右の２箇所（ブラケット５のネジ孔７に対応する２箇所）には円孔１１（図２には一方のみ図示）が形成されており、上部の１箇所（ブラケット５のネジ孔８に対応する箇所）には矩形孔１２が形成されている。
【００２０】
他方、図３に示すように、ハイビーム用ランプユニット４のヒートシンク４ｂの左端部の上下３箇所（ブラケット５のネジ孔９に対応する３箇所）には円孔状のネジ挿通孔１３が形成されており、上下２箇所（ブラケット５の位置決めピン１０に対応する２箇所）には円孔状の位置決め孔１４が形成されている。
【００２１】
而して、ヘッドランプ１の製造工程においては、以下に説明する要領によってロービーム用ランプユニット３とハイビーム用ランプユニット４がブラケット５に組み付けられることによって、図１に示すランプ組立体６が構成される。この場合、ロービーム用ランプユニット３は、ブラケット５に対して上下に傾動可能（上下方向の光軸調整可能）に組み付けられ、ハイビーム用ランプユニット４は、ブラケット５に傾動不能にリジッドに固定される。
【００２２】
即ち、図２に示すように、ブラケット５の下部左右に形成されたネジ孔７には、ピボット軸１５がそれぞれ前方からねじ込まれることによって、これらのピボット軸１５がそれぞれブラケット５に固定される。又、ロービーム用ランプユニット３のハウジング３ａの下部左右に形成された円孔１１には、軸受１６が組み込まれて固定され、ハウジング３ａの上部１箇所に形成された矩形孔１２には、矩形ブロック状のナット１７が組み込まれて固定される。
【００２３】
上記状態からロービーム用ランプユニット３をブラケット５に対して前方から押し込めば、該ロービーム用ランプユニット３のハウジング３ａに固定された左右の軸受１６に、ブラケット５に取り付けられた左右のピボット軸１５の球形のボール部１５ａが嵌め込まれるため、ロービーム用ランプユニット３がブラケット５によって傾動可能に支持される。そして、ロービーム用ランプユニット３のハウジング３ａの上部１箇所に固定されたナット１７に、ブラケット５の上部１箇所に形成されたネジ孔９に挿通するアジャストボルトが螺合せしめられる。尚、ピボット軸１５、軸受１６、ナット１６及びアジャストボルト１８によって、組立時にロービーム用ランプユニット３の上下方向の光軸を調整するためのエーミング機構が構成されている。
【００２４】
従って、組立段階において、アジャストボルト１８を回せば、ロービーム用ランプユニット３は、その下部がブラケット５に対してピボット軸１５を中心として上下に傾動するため、これによってロービーム用ランプユニット３の上下方向の光軸調整が可能となる。
【００２５】
他方、図３に示すように、ロービーム用ランプユニット３が上下に傾動可能（上下方向の光軸調整可能）に組み付けられブラケット５には、ハイビーム用ランプユニット４がリジッドに固定される。
【００２６】
即ち、ハイビーム用ランプユニット４のヒートシンク４ｂに形成された上下２つの位置決め孔１４にブラケット５に突設された位置決めピン１４を嵌合させることによって、ハイビーム用ランプユニット４がブラケット５に対して正確に位置決めされる。そして、この状態において、ハイビーム用ランプユニット４のヒートシンク４ｃの上下３箇所に形成されたネジ挿通孔１３に挿通するネジ１９をブラケット５の上下３箇所に形成されたネジ孔９にねじ込むと、ハイビーム用ランプユニット４がブラケット５に固定され、図１に示すランプ組立体６が組み立てられる。
【００２７】
ところで、ハイビーム用ランプユニット４から出射するハイビームを前方のスクリーン上に映し出すと、図４（ａ）に示すようなハイビームの配光が映し出されるが、ハイビーム用ランプユニット４は、上下方向に光軸調整された状態（ハイビームが所定の高さとなるよう調整した状態）でブラケット５に固定されている。そして、このように光軸調整されたハイビーム用ランプユニット４を基準としてロービーム用ランプユニット３の上下方向に光軸調整がエーミング機構によってなされる。この場合、ロービーム用ランプユニット３から出射するロービームのスクリーン上におけるカットオフラインが例えば図４（ｂ）に示すように所定の位置よりも低い場合には、図６に示すアジャストボルト１８を回してロービーム用ランプユニット３をピボット軸１５を中心としてブラケット５に対して上方へと傾動させてロービームのカットオフラインを図４（ｃ）に示すように上方の所定高さ位置まで移動させる。
【００２８】
而して、上述のようにランプ組立体６の組立段階において、ロービーム用ランプユニット３の上下方向の光軸調整がエーミング機構によってなされると、ランプ組立体６がハウジング２に傾動可能に組み付けられて図５に示すヘッドランプ１が製品として完成し、このヘッドランプ１においては、ランプ組立体６全体の上下方向の光軸調整が公知のエーミング機構によって可能となる。
【００２９】
即ち、ランプ組立体６は、図５にａ，ｂにて示す上部２箇所が図７に示すピボット軸２０（図７には一方のみ図示）によってハウジング２に傾動可能に支持されており、図５にｃにて示す下部１箇所には図７に示すアジャストナット２１が固定されている。そして、図７に示すように、ハウジング２の背面下部には、遠隔操作されるモータ２２が組み付けられており、このモータ２２から延びるアジャストボルト２３は、ハウジング２を貫通して灯室内へと延び、その先端部がランプ組立体６側の前記アジャストナット２１に螺合している。
【００３０】
従って、モータ２２を駆動してアジャストボルト２３を何れかの方向に回転させれば、該アジャストボルト２３に螺合するアジャストナット２１がハウジング２に対して前後動するため、ランプ組立体６がハウジング２に対してピボット軸２０を中心として上下方向に傾動し、ロービーム用ランプユニット３とハイビーム用ランプユニット４の上下方向の光軸調整が同時になされる。
【００３１】
以上のように、本発明に係るヘッドランプ１においては、ハイビーム用ランプユニット３とロービーム用ランプユニット４を並設して成るヘッドランプ１において、組立時にハイビーム用ランプユニット４を上下方向に光軸調整した状態（ハイビームが所定の高さとなるよう調整した状態）でブラケット５に固定し、ロービーム用ランプユニット３をブラケット５に上下に係合可能に支持し、アジャストボルト１８を回してロービーム用ランプユニット３をブラケット５（ハイビーム用ランプユニット４）に対して上下に傾動させてその光軸を上下方向に調整することができる。このため、ブラケット５に支持されたロービーム用ランプユニット３とハイビーム用ランプユニット４（ランプ組立体６）をハウジング２に組み付ける前の状態において、ロービーム用ランプユニット３とハイビーム用ランプユニット４の各光軸を個別に微調整することができる。このため、組立時にハイビームの高さとロービームのカットオフラインの高さを個別に微調整することができる。
【００３２】
そして、ブラケット５に支持されたロービーム用ランプユニット３とハイビーム用ランプユニット４（ランプ組立体６）をハウジング２に組み付けた後には、モータ２２を駆動してアジャストボルト２３を回してランプ組立体６をハウジング２に対して上下に傾動させることによって、ロービーム用ランプユニット３とハイビーム用ランプユニット４の光軸を上下方向に同時に調整することができる。
【００３３】
尚、以上の実施の形態においては、ハイビーム用ランプユニット４をブラケット５に固定し、このハイビーム用ランプユニット４を基準としてロービーム用ランプユニット３の上下方向の光軸調整を行うようにしたエーミング機構について説明したが、逆にロービーム用ランプユニット３をブラケット５に固定し、このロービーム用ランプユニット３を基準としてハイビーム用ランプユニット４の上下方向の光軸調整を行うようにしても良い。
【００３４】
又、以上の実施の形態では、北米の規格を満足するように、ハウジング２の外側から行うエーミングは上下方向の光軸調整のみとしたが、欧州や日本の規格を満足するために、上下方向及び左右方向の光軸調整を行うことができるよう構成しても良く、或いは左右方向のみの光軸調整を行うことができるよう構成しても良い。
【００３５】
更に、以上は本発明をロービーム用ランプユニット３とハイビーム用ランプユニット４を左右に並設して成るヘッドランプ１に対して適用した形態について説明したが、本発明は、ロービーム用ランプユニットとハイビーム用ランプユニットを上下若しくは斜め方向に並設して成るヘッドランプに対しても同様に適用可能であることは勿論である。
【符号の説明】
【００３６】
１        車両用ヘッドランプ
２        ハウジング
３        ロービーム用ランプユニット（他方のランプユニット）
４        ハイビーム用ランプユニット（一方のランプユニット）
５        ブラケット
６        ランプ組立体
７〜９    ネジ孔
１０      位置決めピン
１１      円孔
１２      矩形孔
１３      ネジ挿通孔
１４      位置決め孔
１５      ピボット軸
１６      軸受
１７      ナット
１８      アジャストボルト
１９      ネジ
２１      アジャストナット
２２      モータ
２３      アジャストボルト
【図１】
2016207430.tif 000003
【図２】
2016207430.tif 000004
【図３】
2016207430.tif 000005
【図４】
2016207430.tif 000006
【図５】
2016207430.tif 000007
【図６】
2016207430.tif 000008
【図７】
2016207430.tif 000009